(57)【特許請求の範囲】
【請求項１】
記録媒体の端部に係止孔を形成し、筒状のコアにスリットおよび支持孔を設け、該スリットに記録媒体の端部を差し込み、記録媒体の係止孔をコアの支持孔に合わせてピンを通し、このピンを中心にして記録媒体が回動可能になるように一点でコアに取り付けることによりコアが記録媒体を巻き取る際に発生する記録媒体の斜行を軽減するようにしたことを特徴とするシート状記録媒体の取り付け構造。
【請求項２】
請求項１において、記録媒体の幅方向の中心に係止孔を設けたことを特徴とするシート状記録媒体の取り付け構造。
【請求項３】
請求項１において、ピンを接着テープでコアに固定したことを特徴とするシート状記録媒体の取り付け構造。
【発明の詳細な説明】
【０００１】
【発明の属する技術分野】
本発明は、公共機関等において使用される大型掲示装置等に用いるシート状記録媒体の取り付け構造に関する。
【０００２】
【従来の技術】
催し場、式場、宴会場、公共施設等において、時間、日、曜日もしくは月等によって掲示内容を書き換えるような大型掲示装置においては、シート状の記録媒体に印字した掲示内容を記録媒体を巻き取る等によって移動させて掲示内容を換えることが行われる。そのような記録媒体として例えばリライタブル記録媒体がある。
【０００３】
このリライタブル記録媒体は、支持体上に、ロイコ染料と熱の作用によってロイコ染料に対して顕色性を呈する基と、減色性を呈する基を同一分子内に有する化合物である顕減色剤およびバインダー等からなる記録層を形成し、その表面に必要に応じて耐久性を向上させる保護層、ＵＶ保護層あるいは耐磨耗用の保護層等の保護層を重ねて構成してある。上記支持体１は、一般的には合成樹脂フィルム状体である。
【０００４】
一般に、ロイコ染料は、フェノール性化合物と熱的に反応してロイコ染料のラクトン環が開環し、無色から有色に色変化をする。しかし、ラクトン環を開環した有色化合物は塩基性物質にふれると閉環してもとのラクトン環のある無色の化合物にもどる。
このように、顕減色剤とロイコ染料の可逆性によって、顕減色剤は無色のロイコ染料を、熱エネルギーの制御のみでラクトン環を開環して有色化合物にしたり、閉環して無色のロイコ染料にもどしたりすることが複数回繰り返してできる性質を利用してリライタブル記録媒体としてある。
【０００５】
このような構成のリライタブル記録媒体は、高温、短時間の第１の熱エネルギー、例えば１５０〜１８０°Ｃで１〜３ｍｓｅｃの熱エネルギーを与えるとその個所が例えば黒色（他に青色、赤色等がある。）になる。つぎに、低温、長時間の第２の熱エネルギー、例えば１３０〜１５０°Ｃで５ｍｓｅｃ〜２ｓｅｃの熱エネルギーを与えるとその個所の黒色は消去されることになる。
【０００６】
このような記録媒体を利用した大型掲示装置を図６、図７を用いて説明する。
１は透明な掲示面、２は図示しないモータ等で駆動する上側巻き取り部、３は印字部、４は消去部、５は図示しないモータ等で駆動する下側巻き取り部、６はセンサ対右、７はセンサ対左、８は電源ＯＦＦにしても掲示している頁を記憶しておく頁記憶部、９は記録媒体であり、図示しないモータ等により印字部３に送って印字された掲示文字や画像等の表示を掲示面で掲示する。
【０００７】
掲示されている内容を変えたい場合、消去部４にまで記録媒体９を上側巻き取り部２および下側巻き取り部５により搬送し、掲示済の文字や画像等の表示を消去し、再度印字部３に記録媒体９を搬送し、新たに掲示したい文字や画像等の表示を印字し、掲示面１まで記録媒体９を搬送して掲示する。
このようなシート状の記録媒体９は、図８に示す如く、記録媒体９の端面を円筒状のコア１０の周面に接着テープ１１等によって接着固定していた。
【０００８】
【発明が解決しようとする課題】
このようなシート状の記録媒体は、その端部を筒状のコアに固定してある。そのために記録媒体の走行による斜行の量が、コアのセンタ軸と記録媒体の固定端部の平行度の精度に左右されてしまう。また、大型の掲示装置本体にセットした場合、記録媒体が長いために記録媒体の走行量が大きく、それが斜行に大きく影響して斜行量が大きくなり、掲示品位が極端に下がってしまう問題がある。
【０００９】
【課題を解決するための手段】
そこで本発明は、記録媒体の端部に係止孔を形成し、筒状のコアにスリットおよび支持孔を設け、該スリットの記録媒体の端部を差し込み、記録媒体の係止孔をコアの支持孔に合わせてピンを通してこのピンを中心にして記録媒体を回動可能になるように一点でコアに取り付けることによりコアが記録媒体を巻き取る際に発生する記録媒体の斜行を軽減するようにしたことを特徴とする。
【００１０】
【発明の実施の形態】
以下に本発明の実施の形態例を図面を用いて説明する。
図１は断面説明図、図２は解体説明図であり、図において、９はシート状の記録媒体、１６は円筒状のコアである。
記録媒体９は、その両端部に幅方向ＬのセンタＬ／２に係止孔１７を設けてある。
【００１１】
コア１６にはスリット１８が形成してあり、このスリット１８に記録媒体９の端部を差し込み、係止孔１７およびコア１６の支持孔１９にピン２０を通してピン２０を中心にして回動自在にコア１６に一点で取り付けることにより、記録媒体９の幅方向において左右均等にコア１６に巻き付けることができる。
ここで、係止孔１７の径Ｄ１、支持孔１９の径Ｄ２、ピン２０の径ｄ１は次のような関係にある。また、コア１６の直径ｄ２とピンの長さＬ１も以下のような関係にある。
【００１２】
Ｄ１＞ｄ１（中間ばめ）
Ｄ２＜ｄ１（締まりばめ）
となっており、コア１６の支持孔１９にピン２０が圧入されているためにピン２０が脱落することがない。
Ｌ１＜ｄ２
としてコア１６の支持孔１９からピン２０が飛び出さないようになっている。
【００１３】
なお、コア１６の支持孔１９の径Ｄ２とピン２０の径ｄ１をＤ２＞ｄ１（隙間ばめ）としておくと組み立てが容易となる。
さらに、図４に示す如く、接着テープ２１でピン２０の脱落を防止すれば容易に記録媒体９をコア１６に回動自在に取り付けることができる。この場合、予め図５に示す如く、記録媒体９とコア１６をテープ２１で接着し、ピン２０を添付した状態で交換の単位としておくことにより、記録媒体９とコア１６の交換や記録媒体９のみの交換を容易に行うことができる。
【００１４】
また、記録媒体９の係止孔１７の幅方向位置精度は大型掲示装置の斜行許容範囲となっている。
そこで、記録媒体９の両端がコア１６にピン２０によって取り付けられたアッセンブリは図３に示す如くであり、下側に記録媒体９が巻き付けられている。このようなアッセンブリを掲示装置本体にセットする。
【００１５】
そのセットの手順は、図６、図７において、
（１）図示しない装置前面扉を開く。
（２）印字部３および消去部４を開く。
（３）旧アッセンブリを上側巻き取り部２および下側巻き取り部５から外す。
（４）新アッセンブリを、まず、下側巻き取り部５にセットし、上側のコア１６を上側巻き取り部２にセットする。記録媒体９がコア１６に回動自在に取り付けられているので記録媒体９は片側に曲がった状態で引かれることがなく、ほとんど斜行することがない状態でセットすることができる。
【００１６】
（５）印字部３および消去部４を閉じる。
（６）図示しない装置前面扉を閉じる。
以上でアッセンブリの掲示装置本体へのセットは終了する。
【００１７】
【発明の効果】
以上詳細に説明した本発明によると、筒状のコアに設けたスリットに記録媒体の端部を差し込み、記録媒体に形成してある係止孔およびコアの支持孔にピンを通し、そのピンを中心にして回動自在にコアに一点で取り付けたことにより、記録媒体の幅方向において左右均等にコアに巻き付けることができ、これによって大型の掲示装置において、記録媒体の斜行を軽減して掲示品位の低下を防ぐことができる効果を有する。
【００１８】
また、記録媒体とコアのアッセンブリの交換が容易に行える効果を有する。
【図面の簡単な説明】
【図１】実施の形態例を示す断面説明図
【図２】同解体説明図
【図３】アッセンブリの説明図
【図４】ピンを接着テープで固定した状態の説明図
【図５】記録媒体とコアをセットにした状態の説明図
【図６】大型掲示装置の正面説明図
【図７】同側面説明図
【図８】従来例の説明図
【符号の説明】
１  掲示面
２  上側巻き取り部
３  印字部
４  消去部
５  下側巻き取り部
６  センサ対右
７  センサ対左
８  頁記憶部
９  記録媒体
１６  コア
１７  係止孔
１８  スリット
１９  支持孔
２０  ピン
２１  接着テープ
【図１】
0004623692.tif 000002
【図２】
0004623692.tif 000003
【図３】
0004623692.tif 000004
【図４】
0004623692.tif 000005
【図５】
0004623692.tif 000006
【図６】
0004623692.tif 000007
【図７】
0004623692.tif 000008
【図８】
0004623692.tif 000009